(57)【要約】      （修正有）【課題】ＵＶ印刷方式により、表面に段差を有し、且つ、インク吸収率の高い韓紙を容易に印刷することができる韓紙印刷方法を提供する。【解決手段】印刷装置の受け台に韓紙を安着する段階と、安着した韓紙の表面に水を噴射して圧着する段階１０４と、韓紙の表面と印刷ヘッドに設けられるノズルとの間隔を第１の間隔分離隔するように、１次設定する段階１０８と、１次設定する段階の後に、伝送されたイメージデータの印刷を開始する段階１１０と、印刷の進行中に、韓紙の表面とノズルとの間隔が第２の間隔を維持するように、２次設定する段階１１２と、２次設定する段階を少なくとも１回行いながら、印刷を完了する段階１１４とを含む。【選択図】図１
2015196386.tif 000002
【特許請求の範囲】
【請求項１】
印刷装置の受け台に韓紙を安着する段階と、
前記安着した韓紙の表面に水を噴射して圧着する段階と、
前記韓紙の表面と印刷ヘッドに設けられるノズルとの間隔を第１の間隔分離隔するように、１次設定する段階と、
前記１次設定する段階の後に、伝送されたイメージデータの印刷を開始する段階と、
前記印刷の進行中に、前記韓紙の表面と前記ノズルとの間隔が第２の間隔を維持するように、２次設定する段階と、
前記２次設定する段階を少なくとも１回行いながら、前記印刷を完了する段階とを含むことを特徴とする韓紙印刷方法。
【請求項２】
前記韓紙印刷方法は、
前記安着する段階の後に、前記韓紙の印刷範囲により固定する段階を、更に含むことを特徴とする請求項１に記載の韓紙印刷方法。
【請求項３】
前記固定する段階は、前記韓紙の印刷範囲に対応する枠部分に、単面テープ又は両面テープを付着して固定することを特徴とする請求項２に記載の韓紙印刷方法。
【請求項４】
前記１次設定する段階は、前記第１の間隔が、１.２−１.８mmに設定されることを特徴とする請求項３に記載の韓紙印刷方法。
【請求項５】
前記２次設定する段階は、前記第２の間隔を、１.２−１.５mmに維持することを特徴とする請求項４に記載の韓紙印刷方法。
【請求項６】
前記韓紙印刷方法は、ＵＶインクとＵＶランプとを用いて印刷し、前記ＵＶインクを前記韓紙の表面に噴射した後、０.３秒以内に、前記ＵＶランプを用いて硬化することを特徴とする請求項１乃至５のいずれか一項に記載の韓紙印刷方法。
【請求項７】
印刷装置の受け台に韓紙を安着する段階と、
前記安着した韓紙の表面に水を噴射して圧着する段階と、
前記韓紙の表面と印刷ヘッドに設けられるノズルとの間隔を第１の間隔分離隔するように、１次設定する段階と、
前記１次設定する段階の後に、第１の濃度で伝送されたイメージデータの１次印刷を開始する段階と、
前記１次印刷の進行中に、前記韓紙の表面と前記ノズルとの間隔が第２の間隔を維持するように、２次設定する段階と、
前記２次設定する段階を少なくとも１回行いながら、前記１次印刷を完了する段階と、
前記イメージデータに対して、第２の濃度で２次印刷を開始する段階と、
前記２次印刷の進行中に、前記韓紙の表面と前記ノズルとの間隔が前記第２の間隔を維持するように、再設定する段階と、
前記再設定する段階を少なくとも１回行いながら、前記２次印刷を完了する段階とを含むことを特徴とする韓紙印刷方法。
【請求項８】
前記韓紙印刷方法は、
前記安着する段階の後に、前記韓紙の印刷範囲により固定する段階を、更に含むことを特徴とする請求項７に記載の韓紙印刷方法。
【請求項９】
前記固定する段階は、前記韓紙の印刷範囲に対応する枠部分に、単面テープ又は両面テープを付着して固定することを特徴とする請求項８に記載の韓紙印刷方法。
【請求項１０】
前記１次設定する段階は、前記第１の間隔が、１.２−１.８mmに設定されることを特徴とする請求項９に記載の韓紙印刷方法。
【請求項１１】
前記２次設定する段階は、前記第２の間隔を、１.２−１.５mmに維持することを特徴とする請求項１０に記載の韓紙印刷方法。
【請求項１２】
前記韓紙印刷方法は、ＵＶインクとＵＶランプとを用いて印刷し、前記ＵＶインクを前記韓紙の表面に噴射した後、０.３秒以内に、前記ＵＶランプを用いて硬化することを特徴とする請求項７乃至１１のいずれか一項に記載の韓紙印刷方法。
【発明の詳細な説明】
【技術分野】
【０００１】
本発明は、ＵＶ印刷方式により、表面に段差を有し、且つ、インク吸収率の高い韓紙を容易に印刷することができる韓紙印刷方法に関する。
【背景技術】
【０００２】
従来、圧板(platen)と呼ばれる受け台上に置かれた印刷媒体(例えば、紙、スノー紙、アート紙など)に対して、受け台に対向して設けられた印刷ヘッドを左右に往復動しながら、印刷ヘッドからインクを吐出させて、印刷媒体に印刷を行うインクジェットプリンタのような印刷装置が知られている。
【０００３】
このような印刷装置は、紫外線が照射されることで硬化する性質を持つ紫外線硬化型インク(即ち、ＵＶインク)を、印刷ヘッドから吐出させて印刷媒体に印刷するものであり、このＵＶインクは、耐候性及び耐水性に優れているので、印刷物を屋外広告宣伝のちらしなどにも使用することができ、水溶性インクを用いた場合と比較して、印刷物の使用用途が非常に拡大しつつある。
【０００４】
ところが、ＵＶインクを吐出して印刷する印刷装置には、印刷媒体に取り付けたＵＶインクに紫外線を照射して硬化するための紫外線照射装置が設けられており、この紫外線照射装置にて紫外線を発光させる光源として、紫外線発光ダイオード(即ち、ＵＶ ＬＥＤ)を用いた印刷装置が開発されている。
【０００５】
このような印刷装置において、内部にＵＶ ＬＥＤが設けられ、下方に位置した印刷媒体に向けて紫外線を照射するように構成された紫外線照射装置が、印刷ヘッドの左右に一対固設されることができる。
【０００６】
そして、印刷ヘッドは、マゼンタＵＶインクを、下面に設けられた複数のノズルから印刷媒体に向けて吐出するマゼンタ印刷ヘッド、同じく、イエローＵＶインクを吐出するイエロー印刷ヘッド、シアンＵＶインクを吐出するシアン印刷ヘッド、ブラックＵＶインクを吐出するブラック印刷ヘッドなどを含む。
【０００７】
また、印刷媒体の印刷ラインに印刷することにおいて、印刷ヘッドを、印刷ラインの上方で所定のパス回数分、左右に往復動しながら、印刷ヘッドの各ノズルからＵＶインクを吐出させて、所望するパターンで印刷ラインに重なって取り付ける。
【０００８】
ここで、紫外線照射装置からは、ＵＶインクを完全に硬化する照射強度の紫外線が出射されており、この紫外線が印刷ラインに照射されることによって、印刷ラインに取り付けられたＵＶインクが硬化する方式で印刷される。
【０００９】
一方、韓紙は、東西洋の古文書の保存状態から分かるように、記録保存性が非常に優れており、一般の紙に比べて、独特な質感を有していて、高級且つなごやかな感じを与え、同一の絵に対しても、全く異なる新たな感じを伝達するという特徴を有する。
【００１０】
ところが、韓紙の場合、インク吸収率が優れているため、一般の印刷紙(例えば、スノー紙、アート紙など)のような方式で印刷する場合、インクが吸収されて十分に発色されず、インクが滲むという不都合があり、様々な段差を有する各種の形態で製造される韓紙は、一般の印刷紙(例えば、スノー紙、アート紙など)よりも段差が高いため、印刷ヘッドと韓紙の表面とが接触する場合、印刷ヘッドが損傷するという不都合がある。
【００１１】
前記のような不都合により、韓紙にイメージデータ(例えば、撮影イメージなど)を印刷し難いという実情にある。
【先行技術文献】
【特許文献】
【００１２】
【特許文献１】公開特許公報第10-2013-0039280号(2013.04.19.公開): デジタル写真印刷(印画)方法
【発明の概要】
【発明が解決しようとする課題】
【００１３】
本発明は、韓紙の表面と印刷ヘッドのノズル間の間隔を第１の間隔分離隔するように、１次設定し、印刷中に、韓紙の表面と印刷ヘッドのノズル間の間隔が第２の間隔を維持するように、１回以上２次設定しながら印刷することにより、一般の印刷紙よりも段差の高い韓紙に、印刷ヘッドを損傷することなく、容易に印刷することができる韓紙印刷方法を提供しようとする。
【００１４】
また、本発明は、ＵＶインクとＵＶランプとを用いて印刷し、韓紙の表面と印刷ヘッドのノズル間の間隔を第２の間隔分維持しながら、印刷ヘッドからＵＶインクを噴射した後、０.３秒以内に、ＵＶランプを用いて硬化することにより、インク吸収率の高い韓紙にインクが滲まないように、鮮明に印刷可能な韓紙印刷方法を提供しようとする。
【００１５】
更に、本発明は、イメージデータを第１の濃度で韓紙に１次印刷し、イメージデータを第２の濃度で韓紙に２次印刷することにより、インク吸収率の高い韓紙にインクが滲まないように、更に鮮明に印刷可能な韓紙印刷方法を提供しようとする。
【００１６】
本発明の実施例の目的は、以上で言及した目的に限られず、触れていない他の目的は、下記の記載から、本発明が属する技術の分野における通常の知識を有する者にとって、明確に理解されるだろう。
【課題を解決するための手段】
【００１７】
本発明の一実施例によると、印刷装置の受け台に韓紙を安着する段階と、前記安着した韓紙の表面に水を噴射して圧着する段階と、前記韓紙の表面と印刷ヘッドに設けられるノズルとの間隔を第１の間隔分離隔するように、１次設定する段階と、前記１次設定する段階の後に、伝送されたイメージデータの印刷を開始する段階と、前記印刷の進行中に、前記韓紙の表面と前記ノズルとの間隔が第２の間隔を維持するように、２次設定する段階と、前記２次設定する段階を少なくとも１回行いながら、前記印刷を完了する段階とを含む韓紙印刷方法が提供される。
【００１８】
本発明の他の実施例によると、印刷装置の受け台に韓紙を安着する段階と、前記安着した韓紙の表面に水を噴射して圧着する段階と、前記韓紙の表面と印刷ヘッドに設けられるノズルとの間隔を第１の間隔分離隔するように、１次設定する段階と、前記１次設定する段階の後に、第１の濃度で伝送されたイメージデータの１次印刷を開始する段階と、前記１次印刷の進行中に、前記韓紙の表面と前記ノズルとの間隔が第２の間隔を維持するように、２次設定する段階と、前記２次設定する段階を少なくとも１回行いながら、前記１次印刷を完了する段階と、
前記イメージデータに対して、第２の濃度で２次印刷を開始する段階と、前記２次印刷の進行中に、前記韓紙の表面と前記ノズルとの間隔が前記第２の間隔を維持するように、再設定する段階と、前記再設定する段階を少なくとも１回行いながら、前記２次印刷を完了する段階とを含む韓紙印刷方法が提供される。
【発明の効果】
【００１９】
本発明によると、韓紙の表面と印刷ヘッドのノズル間の間隔を第１の間隔分離隔するように、１次設定し、印刷中に、韓紙の表面と印刷ヘッドのノズル間の間隔が第２の間隔を維持するように、１回以上２次設定しながら印刷することにより、一般の印刷紙よりも段差の高い韓紙に、印刷ヘッドを損傷することなく、容易に印刷することができる。
【００２０】
また、本発明は、ＵＶインクとＵＶランプとを用いて印刷し、韓紙の表面と印刷ヘッドのノズル間の間隔を第２の間隔分維持しながら、印刷ヘッドからＵＶインクを噴射した後、０.３秒以内に、ＵＶランプを用いて硬化することにより、インク吸収率の高い韓紙にインクが滲まないように、鮮明に印刷することができる。
【００２１】
更に、本発明は、イメージデータを第１の濃度で韓紙に１次印刷し、イメージデータを第２の濃度で韓紙に２次印刷することにより、インク吸収率の高い韓紙にインクが滲まないように、更に鮮明に印刷することができる。
【図面の簡単な説明】
【００２２】
【図１】図１は、本発明の一実施例により、韓紙を印刷する過程を示す段階別フローチャートである。
【図２】図２は、本発明の他の実施例により、韓紙を印刷する過程を示す段階別フローチャートである。
【発明を実施するための形態】
【００２３】
本発明の実施例に対するメリット及び特徴、また、それを達成する方法は、添付の図面と共に詳細に後述されている実施例を参照すると、明らかに理解するだろう。しかし、本発明は、以下で開示する実施例に限られることではなく、互いに異なる様々な形態で具現することができ、単に、本実施例は、本発明の開示が完全になるようにし、本発明が属する技術の分野における通常の知識を有する者に、発明の範疇を完全に知らせるために提供されるものであり、本発明は、請求項の範疇によって定義されるだけである。明細書の全体に亙って、同一の参照符号は、同一の構成要素を示している。
【００２４】
本発明の実施例を説明することに当たり、公知の機能又は構成に関する具体的な説明が、本発明の要旨を不要に濁していると判断される場合は、その詳細な説明を省略することにする。そして、後述する用語は、本発明の実施例における機能を考慮して定義している用語であって、これは、使用者・運用者の意図又は慣例などによって変わることがある。それで、その定義は、本明細書の全般の内容を基に、行われるべきである。
【００２５】
以下、添付の図面を参照して、本発明の実施例を詳しく説明する。
【００２６】
図１は、本発明の一実施例により、韓紙を印刷する過程を示す段階別フローチャートである。
【００２７】
図１に示しているように、印刷装置の受け台に韓紙を安着する(段階１０２)。ここで、韓紙は、様々な段差(例えば、１.５mm、２mm、２.５mmなど)を有する韓紙を使用することができる。
【００２８】
そして、受け台に安着した韓紙の印刷範囲によって、固定することができる(段階１０４)。ここで、韓紙の印刷範囲に対応する枠部分(例えば、印刷しようとするイメージデータの大きさに対応して、その外郭部分)に、単面テープ又は両面テープを付着して固定することができ、その枠部分は、全体の外郭部分に単面テープ又は両面テープを付着するか、例えば、四角側面の角の一部分にのみ、単面テープ又は両面テープを付着することができる。
【００２９】
また、受け台に安着した韓紙の表面に水を噴射して、圧着することができる(段階１０６)。ここで、韓紙には、スプレーを用いて、全体の表面にまんべんなく水を噴射することができ、韓紙は、ほぼ３−８％の水分を含有するように水を噴射し、また、韓紙の全体表面を、圧着ローラを用いて圧着するか、あるいは段差が相対的に高い一部の表面にのみ、圧着ローラを用いて圧着することができる。
【００３０】
ここで、水を噴射して３％未満の水分を含有する場合、印刷に際して、インクの滲み現象が発生することはないが、圧着過程を通じて段差を減少し難く、８％超えの水分を含有する場合、圧着過程は容易に行うことができるが、多すぎる水分を含有した状態で印刷すると、インクの滲み現象が容易に生じることがある。
【００３１】
次に、韓紙の表面と、印刷ヘッドに設けられるノズルとの間隔を第１の間隔分離隔するように、１次設定することができる(段階１０８)。ここで、第１の間隔は、１.２−１.８mmに設定され、韓紙の表面と、印刷ヘッドに設けられるノズルとの間隔は、距離測定センサで測定することができ、該当間隔が第１の間隔分離隔するように、印刷装置に設けられた間隔設定キーを用いて設定することができる。
【００３２】
そして、１次設定によって、印刷装置に伝送されたイメージデータの印刷を開始することができる(段階１１０)。このような印刷作業は、ＵＶインクとＵＶランプとを用いて行われ、印刷ヘッドのノズルを介して、ＵＶインクを韓紙の表面に噴射した後、少なくとも０.３秒以内に、ＵＶランプを用いて硬化する方式で印刷を行うことができ、これより、インク吸収率の高い韓紙にインクが滲まないように、鮮明に印刷することができる。
【００３３】
また、印刷の進行中に、韓紙の表面と、印刷ヘッドのノズルとの間隔が第２の間隔を維持するように、２次設定することができる(段階１１２)。ここで、第２の間隔は、１.２−１.５mmを維持するように設定される。
【００３４】
ついで、前記のような２次設定する段階を少なくとも１回行いながら、印刷を完了することができる(段階１１４)。ここで、韓紙の表面は、水を噴射して圧着しても、一般の印刷紙に比べて、高い段差を有するため、印刷の進行中で、間隔設定キーを用いて第２の間隔を維持できるように、少なくとも１回(即ち、１回以上)持続的に設定しなければならない。
【００３５】
それで、本発明は、韓紙の表面と印刷ヘッドのノズル間の間隔を第１の間隔分離隔するように、１次設定し、印刷中に、韓紙の表面と印刷ヘッドのノズル間の間隔が第２の間隔を維持するように、１回以上２次設定しながら印刷することで、一般の印刷紙よりも段差の高い韓紙に、印刷ヘッドを損傷することなく、容易に印刷することができる。
【００３６】
また、本発明は、ＵＶインクとＵＶランプとを用いて印刷し、韓紙の表面と印刷ヘッドのノズル間の間隔を第２の間隔分維持しながら、印刷ヘッドからＵＶインクを噴射した後、０.３秒以内に、ＵＶランプを用いて硬化することで、インク吸収率の高い韓紙にインクが滲まないように、印刷することができる。
【００３７】
図２は、本発明の他の実施例により、韓紙を印刷する過程を示す段階別フローチャートである。
【００３８】
図２に示しているように、印刷装置の受け台に韓紙を安着する(段階２０２)。ここで、韓紙は、様々な段差(例えば、１.５mm、２mm、２.５mmなど)を有する韓紙を使用することができる。
【００３９】
そして、受け台に安着した韓紙の印刷範囲によって、固定することができる(段階２０４)。ここで、韓紙の印刷範囲に対応する枠部分(例えば、印刷しようとするイメージデータの大きさに対応して、その外郭部分)に、単面テープ又は両面テープを付着して固定することができ、その枠部分は、全体の外郭部分に単面テープ又は両面テープを付着するか、例えば、四角側面の角の一部分にのみ、単面テープ又は両面テープを付着することができる。
【００４０】
また、受け台に安着した韓紙の表面に水を噴射して、圧着することができる(段階２０６)。ここで、韓紙には、スプレーを用いて、全体の表面にまんべんなく水を噴射することができ、韓紙は、ほぼ３−８％の水分を含有するように水を噴射し、また、韓紙の全体表面を、圧着ローラを用いて圧着するか、あるいは段差が相対的に高い一部の表面にのみ、圧着ローラを用いて圧着することができる。
【００４１】
ここで、水を噴射して３％未満の水分を含有する場合、印刷に際して、インクの滲み現象が発生することはないが、圧着過程を通じて段差を減少し難く、８％超えの水分を含有する場合、圧着過程は容易に行うことができるが、多すぎる水分を含有した状態で印刷すると、インクの滲み現象が容易に生じることがある。
【００４２】
次に、韓紙の表面と印刷ヘッドに設けられるノズルとの間隔を第１の間隔分離隔するように、１次設定することができる(段階２０８)。ここで、第１の間隔は、１.２−１.８mmに設定され、韓紙の表面と印刷ヘッドに設けられるノズルとの間隔は、距離測定センサで測定することができ、該当間隔が第１の間隔分離隔するように、印刷装置に設けられた間隔設定キーを用いて設定することができる。
【００４３】
そして、１次設定によって、第１の濃度のＵＶインクを用いて、印刷装置に伝送されたイメージデータの１次印刷を開始することができる(段階２１０)。このような印刷作業は、ＵＶインクとＵＶランプとを用いて行われ、第１の濃度は、一般の印刷濃度を１００％とした場合、ほぼ２０−６０％の割合に設定することができ、これより、イメージデータの１次印刷が行われる。
【００４４】
ここで、印刷作業は、印刷ヘッドのノズルを介して、ＵＶインクを韓紙の表面に噴射した後、少なくとも０.３秒以内に、ＵＶランプを用いて硬化する方式で行われ、これより、インク吸収率の高い韓紙に、インクが滲まないように鮮明に印刷することができる。
【００４５】
また、１次印刷の進行中に、韓紙の表面と印刷ヘッドのノズルとの間隔が第２の間隔を維持するように、２次設定することができる(段階２１２)。ここで、第２の間隔は、１.２−１.５mmを維持するように設定される。
【００４６】
ついで、前記のような２次設定する段階を少なくとも１回行いながら、１次印刷を完了することができる(段階２１４)。ここで、韓紙の表面は、水を噴射して圧着しても、一般の印刷紙に比べて、高い段差を有するため、１次印刷の進行中で、間隔設定キーを用いて第２の間隔を維持できるように、少なくとも１回(即ち、１回以上)持続敵に設定しなければならない。
【００４７】
次に、印刷装置に伝送されたイメージデータに対して、第２の濃度で２次印刷を開始することができる(段階２１６)。ここで、第２の濃度は、一般の印刷濃度を１００％とした場合、ほぼ４０−８０％の割合に設定することができ、ＵＶインクを韓紙の表面に噴射した後、少なくとも０.３秒以内に、ＵＶランプを用いて硬化する方式で印刷が行われるので、１次印刷が完了した後、別の乾燥過程が不要であるため、イメージデータを韓紙に、より容易で且つ鮮明に印刷することができる。
【００４８】
一方、上述したような本発明の他の実施例では、第１の濃度を２０−６０％とし、第２の濃度を４０−８０％として説明したが、第１の濃度を４０−８０％として１次印刷を行い、第２の濃度を２０−６０％として２次印刷を行うことができることは言うまでもなく、インクの滲みを防止するため、一般のインク濃度に比べて相対的に低い濃度で、少なくとも２回の印刷を行うこともできる。
【００４９】
そして、２次印刷の進行中に、韓紙の表面と印刷ヘッドのノズルとの間隔が第２の間隔を維持するように、再設定することができる(段階２１８)。ここで、第２の間隔は、１.２−１.５mmを維持するように設定される。
【００５０】
ついで、前記のような再設定する段階を少なくとも１回行いながら、２次印刷を完了することができる(段階２２０)。ここで、韓紙の表面は、水を噴射して圧着しても、一般の印刷紙に比べて高い段差を有するため、２次印刷の進行中で、間隔設定キーを用いて第２の間隔を維持できるように、少なくとも１回(即ち、１回以上)持続的に設定しなければならない。
【００５１】
それで、本発明は、イメージデータを第１の濃度で韓紙に１次印刷し、イメージデータを第２の濃度で韓紙に２次印刷することにより、インク吸収率の高い韓紙にインクが滲まないように、更に鮮明に印刷することができる。
【００５２】
以上の説明では、本発明の様々な実施例を提示して説明したが、本発明はこれに限られるものではなく、本発明が属する技術の分野における通常の知識を有する者であれば、本発明の技術的思想を逸脱しない範囲で、様々な置換、変形・変更が可能であることは、容易に理解されるだろう。
【図１】
2015196386.tif 000003
【図２】
2015196386.tif 000004